(57)【要約】【課題】スリッパの甲被部であれば、その周端部に限らず、スリッパ購入者が選択した何れの個所にも取り付けることができ、歩行時などの振動によってもずれたり、外れたりすることのないようにして取り付けることができるようにしたスリッパに装飾品を取り付ける方法、及びその装飾品付きスリッパを提供する【解決手段】スリッパ購入者が選択したスリッパＳの甲被部１において、このスリッパ購入者の選択した任意の個所に、フック挿入部２を備えたハトメ具Ｅを、ハトメ打具でその場で打ちつけることにより取り付け、スリッパ購入者の選択した装飾品Ｄのフック３を、前記ハトメ具Ｅのフック挿入部２に、その場で挿入することにより、その装飾品ＤをスリッパＳに着脱自在として取り付けるようにしている。【選択図】図１
2012070987.tif 000002
【特許請求の範囲】
【請求項１】
スリッパ購入者が選択したスリッパ（Ｓ）の甲被部（１）において、このスリッパ購入者の選択した任意の個所に、フック挿入部（２）を備えたハトメ具（Ｅ）を、ハトメ打具でその場で打ちつけることにより取り付け、スリッパ購入者の選択した装飾品（Ｄ）のフック（３）を、前記ハトメ具（Ｅ）のフック挿入部（２）に、その場で挿入することにより、その装飾品（Ｄ）をスリッパ（Ｓ）に着脱自在として取り付けるようにしたことを特徴とするスリッパに装飾品を取り付ける方法。
【請求項２】
スリッパ購入者が選択したスリッパ（Ｓ）の甲被部（１）において、このスリッパ購入者の選択した任意の個所に、フック挿入部（２）を備えたハトメ具（Ｅ）が取り付けられ、スリッパ購入者の選択した装飾品（Ｄ）のフック（３）が、前記ハトメ具（Ｅ）のフック挿入部（２）に挿入され、その装飾品（Ｄ）がスリッパ（Ｓ）に着脱自在として取り付けられたことを特徴とする装飾品付きスリッパ。
【請求項３】
前記ハトメ具（Ｅ）のフック挿入部（２）の挿入孔（２ａ）が、スリッパ本体（Ｓ）の甲被部（１）の傾斜面（ｐ）の高い方に向くようにして取り付けられたことを特徴とする請求項２記載の装飾品付きスリッパ。
【請求項４】
前記装飾品（Ｄ）のフック（３）が、装飾品（Ｄ) の装飾体（６）の背面に設けた取付け片（７）に、この取付け片（７）に対し弾発的に圧接可能に蝶着するようにした挿入片（３ａ）を有していることを特徴とする請求項２記載の装飾品付きスリッパ。
【発明の詳細な説明】
【技術分野】
【０００１】
この発明は、室内や室外で使用されるスリッパに装飾品を取り付ける方法、及びその装飾品付きスリッパに関するものである。
【背景技術】
【０００２】
従来からスリッパや靴に取り付けることのできる装飾品が存在する。このような装飾品としては、例えば図７、８に示したように、飾り部１１と、止着部１２とを有している。飾り部１１は、リボンなどとしている。止着部１２は、爪片１３を設けた押止板１４を基板１５に対し弾発的に圧接可能に蝶着したものとしている。そして、この止着部１２の基板１５を、前記飾り部１１の背面に固着したものとしている（特許文献１）。
【０００３】
このように構成された従来の装飾品は、前記押止板１４を基板１５に対し弾発的に圧接して、この押止板１４と基板１５との間に、スリッパや靴の甲被部（図示せず）の周端部を挟み込むことにより、その甲被部の周端部の任意個所に取り付けることができるとしている。そして、前記飾り部１１は、多種類のものを取り揃えておくと、好みや気分などに応じて色々なものに取り替えることにより、スリッパや靴の飾りを変化させて楽しむことができるとしている。
【先行技術文献】
【特許文献】
【０００４】
【特許文献１】実開昭６４−１５５１３号公報
【発明の概要】
【発明が解決しようとする課題】
【０００５】
しかしながら、上記従来の装飾品は、スリッパや靴の甲被部の周端部の任意個所に取り付けることができるとしているが、この甲被部の周端部以外の部分には取り付けることができないので、多種類の飾り部１１を取り揃えたとしても、その飾り部１１を色々な個所に取り付け、変化させて楽しむという欲求には充分に対応しきれないという課題を有していた。
【０００６】
さらに、上記従来の装飾品は、スリッパや靴の甲被部の周端部の任意個所に、挟み込んで取り付けられているため、歩行時などの振動で徐々にずれるなどして、挟み込む力が直に働かなくなり、最後には甲被部の周端部から外れてしまうことがあるので、その飾り部１１を度々、付け直す手間がかかるという課題を有していた。
【０００７】
そこで、この発明は、上記従来の問題点を解決することをその課題としており、スリッパの甲被部であれば、その周端部に限らず、スリッパ購入者が選択した何れの個所にも取り付けることができ、歩行時などの振動によってもずれたり、外れたりすることのないようにして取り付けることができるようにしたスリッパに装飾品を取り付ける方法、及びその装飾品付きスリッパを提供することを目的としてなされたものである。
【課題を解決するための手段】
【０００８】
そのため、この発明のスリッパに装飾品を取り付ける方法は、スリッパ購入者が選択したスリッパＳの甲被部１において、このスリッパ購入者の選択した任意の個所に、フック挿入部２を備えたハトメ具Ｅを、ハトメ打具でその場で打ちつけることにより取り付け、スリッパ購入者の選択した装飾品Ｄのフック３を、前記ハトメ具Ｅのフック挿入部２に、その場で挿入することにより、その装飾品ＤをスリッパＳに着脱自在として取り付けるようにしている。
【０００９】
さらに、この発明の装飾品付きスリッパは、スリッパ購入者が選択したスリッパＳの甲被部１において、このスリッパ購入者の選択した任意の個所に、フック挿入部２を備えたハトメ具Ｅが取り付けられ、スリッパ購入者の選択した装飾品Ｄのフック３が、前記ハトメ具Ｅのフック挿入部２に挿入され、その装飾品ＤがスリッパＳに着脱自在として取り付けられたものとしている。
【００１０】
そして、この発明の装飾品付きスリッパは、前記ハトメ具Ｅのフック挿入部２の挿入孔２ａが、スリッパ本体Ｓの甲被部１の傾斜面ｐの高い方に向くようにして取り付けられたものとしている。
【００１１】
さらに、この発明の装飾品付きスリッパは、前記装飾品Ｄのフック３が、装飾品Ｄの装飾体６の背面に設けた取付け片７に、この取付け片７に対し弾発的に圧接可能に蝶着するようにした挿入片３ａを有したものとしている。
【発明の効果】
【００１２】
この発明は、以上に述べたように構成されているので、スリッパの甲被部であれば、その周端部に限らず、スリッパ購入者が選択した何れの個所にも取り付けることができ、歩行時などの振動によってもずれたり、外れたりすることのないようにして取り付けることができるので、装飾品をスリッパの甲被部の色々な個所に取り付け、変化させて楽しむという欲求に充分に対応することができるものとなると共に、その装飾品を度々、付け直す手間がかかることもなくなった。
【図面の簡単な説明】
【００１３】
【図１】この発明のスリッパに装飾品を取り付ける方法を示す説明図である。
【図２】この発明のスリッパの斜視図である。
【図３】この発明のスリッパに用いるハトメ具の斜視図である。
【図４】この発明のスリッパの甲被部にハトメ具が取り付けられた状態を示す部分拡大斜視図である。
【図５】この発明のスリッパに取り付ける装飾品の背面から見た状態を示す斜視図である。
【図６】図５における装飾品のフックを回動させた状態を示す斜視図である。
【図７】従来のスリッパや靴の甲被部に取り付ける装飾品の斜視図である。
【図８】図７に示す従来の装飾品の背面図である。
【発明を実施するための形態】
【００１４】
以下、この発明のスリッパに装飾品を取り付ける方法及びその装飾品付きスリッパを実施するための形態を、図面に基づいて詳細に説明する。
【００１５】
この発明のスリッパに装飾品を取り付ける方法は、先ず、店頭などに展示したり、揃えてあるスリッパＳのうち、スリッパ購入者が気に入った任意のスリッパＳを選択する（図１（ａ））。次に、店頭などに展示したり、揃えてあるフック付きの装飾品Ｄのうち、このスリッパ購入者が気に入った任意の装飾品Ｄを選択する（図１（ｂ））。
【００１６】
そこで、スリッパ購入者が選択したスリッパＳの甲被部１において、このスリッパ購入者が選択した装飾品Ｄを取り付けたい任意の個所に、店員などが、フック挿入部２を備えたハトメ具Ｅを、ハトメ打具（図示せず）でその場で打ちつけることにより取り付ける（図１（ｃ））。
【００１７】
そして、最後に、スリッパ購入者が選択した装飾品Ｄのフック３を、スリッパＳの甲被部１に取り付けたハトメ具Ｅのフック挿入部２に、店員などが、その場で挿入することにより、その装飾品ＤをスリッパＳに着脱自在として取り付けるようにしている（図１（ｄ））。
【００１８】
この発明の装飾品付きスリッパは、前記したような装飾品を取り付ける方法によって作製されたものであり、スリッパ購入者が選択したスリッパＳの甲被部１において、スリッパ購入者の選択した任意の個所に、フック挿入部２を備えたハトメ具Ｅが取り付けられ、スリッパ購入者の選択した装飾品Ｄのフック３が、前記ハトメ具Ｅのフック挿入部２に挿入され、その装飾品ＤがスリッパＳに着脱自在として取り付けられたものとしている。
【００１９】
前記スリッパＳは、図２に示したように、使用者の足の甲の全体が被われるようにした甲被部１を設けたものとしても、図示していないが、使用者の足の甲の上半部を被い、その足の甲の下半部から爪先部分が露出するようにした甲被部１を設けたものとしてもよく、また使用者の足の爪先部分が露出するようにした甲被部１を設けたものとしてもよい。
【００２０】
前記ハトメ具Ｅは、図３、４に示したように、雄部材４と雌部材５とからなるものとしている。雄部材４は、円筒部４ａと、この円筒部４ａの基端に設けられた鍔部４ｂとを有したものとしている。雌部材５は、前記円筒部４ａを挿通する円孔５ａを設けた板状体５ｂの上部に前記フック挿入部２を設けたものとしている。そして、このフック挿入部２の挿入孔２ａが、スリッパＳの甲被部１の傾斜面ｐの高い方に向くようにして、前記ハトメ具Ｅをその甲被部１に取り付けるようにするのが好ましい。
【００２１】
前記装飾品Ｄは、図５、６に示したように、リボンなどの装飾体６と、この装飾体６の背面に設けた取付け片７に、前記ハトメ具Ｅのフック挿入部２に挿入される前記フック３を設けたものとしている。このフック３は、前記取付け片７との間に隙間を有して鉤状に折り曲げた挿入片３ａを設けたものとしてもよいが、図示したように、前記取付け片７の上端部に、この取付け片７に対し弾発的に圧接可能に蝶着するようにした挿入片３ａを有したものとしてもよい。
【００２２】
以上のように構成されたこの発明は、スリッパＳの甲被部１であれば、その周端部に限らず、スリッパ購入者の任意に選択した何れの個所にも、装飾品Ｄを取り付けることができるものとなり、装飾品ＤをスリッパＳの甲被部１の色々な個所に取り付け、変化させて楽しむという欲求に充分に対応できるものとなった。
【００２３】
そして、この発明では、ハトメ具Ｅに設けたフック挿入孔２を、スリッパＳの甲被部１の傾斜面ｐの高い方に向くようにしたものでは、このフック挿入孔２からフック３の挿入片３ａが抜けにくくなり、歩行時などの振動によっても装飾品Ｄがずれたり、外れたりすることのないものとなるので、その装飾品を度々、付け直す手間がかかることもなくなった。
【００２４】
さらに、この発明では、フック３の挿入片３ａを装飾品Ｄの取付け片７の上端部に、この取付け片７に対し弾発的に圧接可能に蝶着するようにすると、ハトメ具Ｅのフック挿入孔２から、フック３の挿入片３ａがより一層、抜けにくくなり、歩行時などの振動によっても装飾品Ｄがより一層、ずれたり、外れたりすることのないものとなるので、その装飾品を度々、付け直す手間がかかることもなくなった。
【符号の説明】
【００２５】
１  甲被部
２  フック挿入部
２ａ  挿入孔
３  フック
３ａ  挿入片
７  取付け片
Ｓ  スリッパ
Ｄ  ハトメ具Ｅ
ｐ  傾斜面
【図１】
2012070987.tif 000003
【図２】
2012070987.tif 000004
【図３】
2012070987.tif 000005
【図４】
2012070987.tif 000006
【図５】
2012070987.tif 000007
【図６】
2012070987.tif 000008
【図７】
2012070987.tif 000009
【図８】
2012070987.tif 000010